(57)【要約】【課題】地上から放送波を引き込むような特別な設備を必要とせず、放送波の届かない場所でも放送波を中継することができる放送中継システム及びその方法を提供すること。【解決手段】放送局１から送信装置２には映像・音声等が多重化された放送信号が伝送される。送信装置２のＩＰパケット化部２１１は、その放送ＴＳ信号をIPパケット化する。その際には、中継装置３のアドレスを含む通信用のIPヘッダや誤り訂正を施す。伝送制御部２２は、生成されたIPパケットを、ＩＰネットワーク４を介して送信する。中継装置３は、受信されたIPパケットは、ＴＳ再構成部３２により、放送用ＴＳに再構成され、OFDM変調放送部３５は、再構築されたＴＳ信号を、同期信号発生部３４による同期信号に基づいて、OFDM変調、放送周波数に変更して放送する。【選択図】図１
2008060761.tif 000002
【特許請求の範囲】
【請求項１】
デジタル放送の中継システムであって、
デジタル放送されるＴＳ信号をＩＰパケット化するパケット化手段と、
ネットワークを介して、前記パケットを送信するパケット送信手段と、
前記ＩＰパケットからＴＳ信号を再構築する再構築手段と、
再構築されたＴＳ信号を変調して放送する放送手段と
を有することを特徴とする中継システム。
【請求項２】
デジタル放送の中継システムであって、
デジタル放送されるＴＳ信号をＩＰパケット化するパケット化手段と、ネットワークを介して、前記パケットを送信するパケット送信手段とを有する送信装置と、
ネットワークを介して、前記ＩＰパケットを受信する受信手段と、前記ＩＰパケットからＴＳ信号を再構築する再構築手段と、再構築されたＴＳ信号を変調して送信する送信手段とを有する中継装置と
を有することを特徴とする中継システム。
【請求項３】
本線側のＴＳ信号を遅延する遅延手段を有することを特徴とする請求項１又は請求項２に記載の中継システム。
【請求項４】
ＩＰパケット化される前のＴＳ信号を遅延する遅延手段を有することを特徴とする請求項１から請求項３のいずれかに記載の中継システム。
【請求項５】
デジタル放送の中継方法であって、
デジタル放送されるＴＳ信号をＩＰパケット化し、
ネットワークを介して、前記パケットを送信し、
前記ＩＰパケットからＴＳ信号を再構築し、
再構築されたＴＳ信号を変調して送信する
ことを特徴とする中継方法。
【請求項６】
本線側のＴＳ信号、又はＩＰパケット化される前のＴＳ信号の少なくともひとつを遅延することを特徴とする請求項５に記載の中継方法。
【発明の詳細な説明】
【技術分野】
【０００１】
本発明は放送中継システムに関し、特に、放送波の中継に、IP網を使用する放送中継システム及びその方法に関する。
【背景技術】
【０００２】
従来、ビル陰や、地下街等、テレビ放送波が届かない場所に、テレビ放送波を中継する技術がある。代表的なものとしてギャプフィラーがある。このギャプフィラーは、放送波を一度受信し、受信した信号からノイズを除去後に再送信する。
【発明の開示】
【発明が解決しようとする課題】
【０００３】
しかしながら、従来のギャプフィラーの技術は、放送波の届かない地下街等の遮蔽空間では、地上から放送波を何らかの方法で引き込む必要があり、新たに配線工事や増幅器等の設備が必要であった。つまり、放送波が来ている地上でしか再送信は難しいという問題点があった。
【０００４】
また、放送波を受信して再送信するギャプフィラーの場合、受信した段階や、ギャプフィラーの場所まで放送信号を伝送する状況で、信号波の質の劣化や、再送信の回り込み受信による発振等の障害を回避する方法が必要であった。
【０００５】
そこで、本発明は上記課題に鑑みて発明されたものであって、その目的は地上から放送波を引き込むような特別な設備を必要とせず、放送波の届かない場所でも放送波を中継することができる放送中継システム及びその方法を提供することにある。
【課題を解決するための手段】
【０００６】
上記課題を解決する第１の発明は、デジタル放送の中継システムであって、デジタル放送されるＴＳ信号をＩＰパケット化するパケット化手段と、ネットワークを介して、前記パケットを送信するパケット送信手段と、前記ＩＰパケットからＴＳ信号を再構築する再構築手段と、再構築されたＴＳ信号を変調して放送する放送手段とを有することを特徴とする。
【０００７】
上記課題を解決する第２の発明は、デジタル放送の中継システムであって、デジタル放送されるＴＳ信号をＩＰパケット化するパケット化手段と、ネットワークを介して、前記パケットを送信するパケット送信手段とを有する送信装置と、ネットワークを介して、前記ＩＰパケットを受信する受信手段と、前記ＩＰパケットからＴＳ信号を再構築する再構築手段と、再構築されたＴＳ信号を変調して送信する送信手段とを有する中継装置とを有することを特徴とする。
【０００８】
上記課題を解決する第３の発明は、上記第１の発明又は第２の発明において、本線側のＴＳ信号を遅延する遅延手段を有することを特徴とする。
【０００９】
上記課題を解決する第４の発明は、上記第１から第３のいずれかの発明において、ＩＰパケット化される前のＴＳ信号を遅延する遅延手段を有することを特徴とする。
【００１０】
上記課題を解決する第５の発明は、デジタル放送の中継方法であって、デジタル放送されるＴＳ信号をＩＰパケット化し、ネットワークを介して、前記パケットを送信し、前記ＩＰパケットからＴＳ信号を再構築し、再構築されたＴＳ信号を変調して送信することを特徴とする。
【００１１】
上記課題を解決する第６の発明は、上記第５の発明において、本線側のＴＳ信号、又はＩＰパケット化される前のＴＳ信号の少なくともひとつを遅延することを特徴とする。
【発明の効果】
【００１２】
本発明によれば、放送波を受信することができない場所であっても、放送品質を確保した放送波を中継することができる。
【００１３】
また、本発明によれば、自中継装置の送信による回り込み受信による発振も発生せず、ＳＦＮ難視対応も可能となる。
【発明を実施するための最良の形態】
【００１４】
本発明の実施の形態を説明する。尚、以下の説明においては、固定受信用の１２セグメント放送と移動受信用の１セグメント放送とから成る地上デジタル放送を例に取り説明する。
【００１５】
図１は本発明の中継システムの構成図である。
【００１６】
図１中、１は放送局、２は送信装置、３は中継装置、４はＩＰネットワークである。
【００１７】
放送局１は、固定受信用の１２セグメントのＴＳと移動受信用の１セグメントのＴＳとを多重化する多重化部１１と、多重化されたＴＳ信号をOFDM変調、放送周波数に変更して放送するOFDM変調放送部１２とを備える。
【００１８】
送信装置２は、デジタル放送の１セグメントのＴＳを、ＩＰパケット化するＩＰパケット化部２１と、ＩＰパケット化部２１で生成されたパケットを、ＩＰネットワーク４を介して中継装置３に送信するＩＰ伝送制御部２２とを備える。
【００１９】
中継装置３は、ＩＰネットワーク４を介してＩＰパケットを受信するＩＰパケット受信部３１と、受信したＩＰパケットからＴＳを再構築するＴＳ再構築部３２と、再構築されたＴＳ信号を記憶するメモリ３３と、ＩＰネットワークの同期信号からOFDM変調用の同期信号を発生する同期信号発生部３４と、ＴＳ信号をOFDM変調及び放送周波数に変更して放送するOFDM変調放送部３５とを備える。
【００２０】
上記のように構成された中継システムは、以下のように動作する。
【００２１】
まず、放送局１から送信装置２には映像・音声等が多重化された放送信号（ＴＳ：３１．５Ｍｂｐｓ：ワンセグ信号の場合はそこからワンセグＴＳヘッダのついた信号を抜き取り400kbps）が伝送される。
【００２２】
送信装置２のＩＰパケット化部２１１は、その放送ＴＳ信号をIPパケット化する。その際には、中継装置３のアドレスを含む通信用のIPヘッダや誤り訂正を施す。伝送制御部２２は、生成されたIPパケットを、ＩＰネットワーク４を介して送信する。
【００２３】
中継装置３は、パケット受信部３１により、IPパケットを受信する。受信されたIPパケットは、ＴＳ再構成部３２により、放送用ＴＳに再構成され、メモリ３３に格納される。そして、OFDM変調放送部３５は、再構築されたＴＳ信号を、同期信号発生部３４による同期信号に基づいて、OFDM変調、放送周波数に変更して放送する。
【００２４】
このように構成することにより、放送波を受信することができない場所であっても、放送品質を確保した放送波を中継することができる。
【００２５】
また、自中継装置の送信による回り込み受信による発振も発生せず、ＳＦＮ難視対応も可能となる。
【００２６】
尚、送信局２や中継装置３におけるパケット化処理や伝送遅延分を考慮して、図２に示す如く、放送局１のOFDM変調放送部１２から送信される放送波を予め遅延させる遅延調整部１００を設けることにより、本放送側の放送波と中継装置２から送信される放送波との時間的なずれも解消することができる。また、このように本放送側の放送波の信号そのものに遅延をかけておけば、中継装置で地上波受信したスキャッタードパイロット信号（キャリアごとに３ＯＦＤＭ周期毎に入っている波形基準信号）を使い、キャリアごとの変調を同相にしてしまえば、ＳＦＮも可能となる。
【００２７】
また、図３に示す如く、放送局１と送信局２との間に遅延調整部２００を設け、放送局１から送信されるＴＳに対して、再送信波（OFDM変調放送部３５から送信される放送波）相当の遅延調整かけるようにしても良い。
更に、送信周波数精度のための同期調整は、ＧＰＳ信号利用しても良い。
【図面の簡単な説明】
【００２８】
【図１】図１は本発明の実施の形態に係る中継システムの構成図である。
【図２】図２は本発明の他の実施の形態に係る中継システムの構成図である。
【図３】図３は本発明の他の実施の形態に係る中継システムの構成図である。
【符号の説明】
【００２９】
１      放送局
２      送信装置
３      中継装置
４      ＩＰネットワーク
【図１】
2008060761.tif 000003
【図２】
2008060761.tif 000004
【図３】
2008060761.tif 000005